(57)【特許請求の範囲】
【請求項１】
端末との無線通信を処理するように構成された基地局であって、
前記端末へのデータ送信の信頼度に関連付けられた第１情報を含む通知信号を前記端末に送信し、
複数のチャネルにおいて参照信号を送信し、
前記端末から測定レポートを受信し、
前記測定レポートは、前記複数のチャネルのチャネル品質情報を含み、
前記チャネル品質情報は、前記第１情報に関連付けられた前記データ送信の信頼度を用いて前記端末が導出した周波数帯域の無線品質を示す、基地局装置。
【請求項２】
前記通知信号の送信後、送信設定を決定し、
前記送信設定を用いて、第１信号に対して信号処理を行い、
前記送信設定に基づいて信号処理された前記第１信号を送信する、
請求項１に記載の基地局装置。
【請求項３】
前記複数のチャネルのそれぞれを使用して送信された各信号間の相関関係を用いて、前記送信設定を決定する、
請求項２に記載の基地局装置。
【請求項４】
前記処理部は、
前記複数のチャネルの測定に関する第１時間から、前記第１信号が送信される時間である第２時間までの時間長を用いて、前記送信設定を決定する、
請求項２又は３に記載の基地局装置。
【請求項５】
前記処理部は、
前記第１信号に割当てる無線リソースと、変調方式と、符号化率とを含む前記送信設定を決定する、
請求項２乃至４のいずれかに記載の基地局装置。
【請求項６】
前記チャネル品質情報は、非連続周波数帯域に関する無線品質を示す、請求項１乃至５のいずれかに記載の基地局装置。
【請求項７】
無線基地局との無線通信を処理するように構成された無線端末であって、
前記無線端末へのデータ送信の信頼度に関連付けられた第１情報を含む通知信号を前記無線基地局から取得し、
前記無線基地局から複数のチャネルにおいて送信される参照信号を測定し、
前記通知信号に含まれる前記第１情報に関連付けられた前記信頼度に応じて前記複数のチャネルの無線品質を算出することにより、前記無線品質を示す品質情報を取得し、
前記品質情報を含む測定報告を送信する処理部
を備えたことを特徴とする無線端末。
【請求項８】
前記処理部は、
前記複数のチャネルのそれぞれを使用して送信された各信号間の相関関係を算出し、
前記相関関係に関する情報を送信する、
請求項７に記載の無線端末。
【請求項９】
前記処理部は、
前記複数のチャネルにおける前記参照信号の測定が実行された時刻に関する時刻情報を送信する、
請求項７又は８に記載の無線端末。
【請求項１０】
端末との無線通信を処理するように構成された基地局において実行される無線通信方法であって、
前記端末へのデータ送信の信頼度に関連付けられた第１情報を含む通知信号を前記端末に送信し、
複数のチャネルにおいて参照信号を送信し、
前記端末から測定レポートを受信し、
前記測定レポートは、前記複数のチャネルのチャネル品質情報を含み、
前記チャネル品質情報は、前記第１情報に関連付けられた前記データ送信の信頼度を用いて前記端末が導出した周波数帯域の無線品質を示す、
無線通信方法。
【請求項１１】
前記通知信号の送信後、送信設定を決定し、
前記送信設定を用いて、第１信号に対して信号処理を行い、
前記送信設定に基づいて信号処理された前記第１信号を送信する、
請求項１０に記載の無線通信方法。
【請求項１２】
前記複数のチャネルのそれぞれを使用して送信された各信号間の相関関係を用いて、前記送信設定を決定する、
請求項１１に記載の無線通信方法。
【請求項１３】
前記複数のチャネルの測定に関する第１時間から、前記第１信号が送信される時間である第２時間までの時間長を用いて、前記送信設定を決定する、
請求項１１又は１２に記載の無線通信方法。
【請求項１４】
前記送信設定は、前記第１信号に割当てる無線リソースと、変調方式と、符号化率とを含む、請求項１１乃至１３のいずれかに記載の無線通信方法。
【請求項１５】
前記品質情報は、非連続周波数帯域に関する無線品質を示す、
請求項１０乃至１４のいずれかに記載の無線通信方法。
【請求項１６】
無線基地局との無線通信を処理するように構成された無線端末において実行される無線通信方法であって、
前記無線端末へのデータ送信の信頼度に関連付けられた第１情報を含む通知信号を前記無線基地局から取得し、
前記無線基地局から複数のチャネルにおいて送信される参照信号を測定し、
前記通知信号に含まれる前記第１情報に関連付けられた前記信頼度に応じて前記複数のチャネルの無線品質を算出することにより、前記無線品質を示す品質情報を取得し、
前記品質情報を含む測定報告を送信する、
無線通信方法。
【請求項１７】
前記複数のチャネルのそれぞれを使用して送信された各信号間の相関関係を算出し、
前記相関関係に関する情報を送信する、
請求項１６に記載の無線通信方法。
【請求項１８】
前記複数のチャネルにおける前記参照信号の測定が実行された時刻に関する時刻情報を送信する、
請求項１６又は１７に記載の無線通信方法。
【請求項１９】
前記無線通信方法における各工程は、基地局装置において実行される、
請求項１６乃至１８のいずれかに記載の無線通信方法。
【請求項２０】
前記無線通信方法における各工程は、無線端末において実行される、
請求項１６乃至１９のいずれかに記載の無線通信方法。
【発明の詳細な説明】
【技術分野】
【０００１】
本発明は、基地局装置、端末装置、無線通信システム及び無線通信システム制御方法に関する。
【背景技術】
【０００２】
ＬＴＥ（Long  Term  Evolution）を用いた無線通信システムでは、基地局装置は、各端末装置のチャネル品質情報に基づいて無線リソースの割り当て及びＭＣＳ（Modulation  and  Coding  Scheme）の決定を行う。そこで、ダウンリンクの送信を行う際に各端末装置に対して適切な無線リソースの割り当て及びＭＣＳの決定を行うために、基地局装置は、チャネルに関するフィードバック情報を各端末装置から予め取得する。【０００３】
チャネルに関するフィードバック情報は、ＣＳＩ（Channel  State  Information）と呼ばれる。ＣＳＩには、例えば、ＣＱＩ（Channel  Quality  Indicator）、ＲＩ（Rank  Indicator）、ＰＭＩ（Precoding  Matrix  Indicator）、ＢＩ（Beam  Indicator）及びＣＲＩ（ＣＳＩ  Reference  signal  resource  Indicator）などが含まれる。例えば、端末装置は、予めエラー率が０．１と設定されている場合、チャネルの測定結果に基づいて設定されたエラー率である０．１を超えない最大のＣＱＩの値をＣＱＩとして基地局装置にフィードバックする。【０００４】
また、ＬＴＥを用いた無線通信システムでは、ＣＱＩについてＷｉｄｅｂａｎｄとＳｕｂｂａｎｄの２種類が規定されている。Ｗｉｄｂａｎｄ  ＣＱＩは、全帯域を単位として算出されるＣＱＩである。また、Ｓｕｂｂａｎｄ  ＣＱＩは、連続した周波数帯域を単位として算出されるＣＱＩである。【０００５】
さらに、近年、移動体通信システムとして５Ｇ（Generation）システムの研究開発が盛んになってきている。５Ｇシステムでは、通常のブロードバンド通信に加える技術として、ＵＲＬＬＣ（Ultra  Reliable  Low  Latency  Communications）が着目されている。ＵＲＬＬＣを用いた無線通信システムでは、例えば、高信頼で低遅延な通信を用いるアプリケーションを動作させるために、無線区間において今まで以上に低いエラー率でのデータ伝送が実現されることが好ましい。この場合、提供するサービスの種類によって求められる信頼度及び遅延が異なり、エラー率も提供するサービスの種類に応じて異なる。ＵＲＬＬＣを用いたサービスには、例えば、変電所の障害対応や制御、スマートグリッド技術を用いた電力供給システムの制御、バーチャルプレゼンス環境の提供、産業用制御アプリケーションの実行、自動運転又は触覚インターネットの提供などが考えられる。【０００６】
なお、無線通信の技術として、無線リソースの割り当てにおいて、周波数領域で連続しない無線リソースを割り当てるか、連続する無線リソースを割り当てるかを、端末装置に通知する従来技術がある。また、連続的なキャリアアグリゲーションを実行する場合は無線リソースの配分を集中型で行い、非連続的なキャリアアグリゲーションを実行する場合は無線リソースの配分を分散型で行う従来技術がある。
【先行技術文献】
【特許文献】
【０００７】
【特許文献１】特開２０１１−２４４４７２号公報
【特許文献２】特表２０１３−５０９１２０号公報
【発明の概要】
【発明が解決しようとする課題】
【０００８】
しかしながら、端末装置と基地局装置との間のチャネルは時間とともに変動しており、ＣＳＩの測定タイミングと実際に基地局装置が端末装置へデータを送信するタイミングとの間の遅延により、ＣＳＩに基づいたスケジューリングの信頼度が低下する。そのため、エラー率が上昇するおそれがある。エラー率が上昇した場合、無線通信システムでは、求められるＵＲＬＬＣの提供が困難になるおそれがある。【０００９】
特に、ＵＲＬＬＣのような低遅延通信では、再送が行われないもしくは限られた再送しか許容されない可能性があり、エラー率の上昇が通信の信頼性の低下に直結するおそれがある。【００１０】
また、周波数領域で連続しない無線リソースを割り当てるか、連続する無線リソースを割り当てるかを通知する従来技術を用いても、ＣＳＩに基づいたスケジューリングの信頼度の低下を解消することは困難である。また、キャリアアグリゲーションの種類により無線リソースの配分を集中型又は分散型の何れにするかを決定する従来技術を用いても、ＣＳＩに基づいたスケジューリングの信頼度の低下を解消することは困難である。【００１１】
開示の技術は、上記に鑑みてなされたものであって、効率よく高信頼低遅延通信を実現する基地局装置、端末装置、無線通信システム及び無線通信システム制御方法を提供することを目的とする。
【課題を解決するための手段】
【００１２】
本願の開示する基地局装置、端末装置、無線通信システム及び無線通信システム制御方法の一つの態様において、送信部は、少なくとも２つの不連続の周波数帯を用いて信号を送信する。送信設定決定部は、前記不連続の周波数帯のそれぞれで送信される信号毎に測定されたチャネルの個別情報を基に算出された前記不連続の周波数帯の全体のチャネルの全体情報を端末装置から受信し、受信した前記全体情報から送信設定を決定する。信号処理部は、前記送信設定決定部により決定された前記送信設定を用いて信号に対して処理を行い、前記送信部に信号を送信させる。
【発明の効果】
【００１３】
本願の開示する基地局装置、端末装置、無線通信システム及び無線通信システム制御方法の一つの態様によれば、効率よく高信頼低遅延通信を実現することができるという効果を奏する。
【図面の簡単な説明】
【００１４】
【図１】図１は、実施例に係る基地局装置のブロック図である。
【図２】図２は、実施例に係る端末装置のブロック図である。
【図３】図３は、リソースセットの選択を説明するための図である。
【図４】図４は、リソースセットの選択の他の例を説明するための図である。
【図５】図５は、相関値とＳＩＮＲのオフセットとの関係を表す図である。
【図６】図６は、ＭＣＳ選択表の一例を表す図である。
【図７】図７は、ＳＩＮＲとＣＱＩとの変換関数を説明するための図である。
【図８】図８は、実施例に係る無線通信システムにおけるＵＲＬＬＣを用いた通信の制御のシーケンス図である。
【図９】図９は、リソースセットを用いたデータ送信の一例を表す図である。
【図１０】図１０は、リソースセットを用いたデータ送信の他の例を表す図である。
【図１１】図１１は、連続した周波数帯を用いてデータを送信した場合の信頼度を説明するための図である。
【図１２】図１２は、不連続な周波数帯を用いてデータを送信した場合の信頼度を説明するための図である。
【図１３】図１３は、基地局装置のハードウェア構成図である。
【図１４】図１４は、端末装置のハードウェア構成図である。
【発明を実施するための形態】
【００１５】
以下に、本願の開示する基地局装置、端末装置、無線通信システム及び無線通信システム制御方法の実施例を図面に基づいて詳細に説明する。なお、以下の実施例により本願の開示する基地局装置、端末装置、無線通信システム及び無線通信システム制御方法が限定されるものではない。
【実施例】
【００１６】
図１は、実施例に係る基地局装置のブロック図である。また、図２は、実施例に係る端末装置のブロック図である。図１の基地局装置１は、図２の端末装置２と無線通信を行う。基地局装置１と端末装置２とは、基地局装置１から端末装置２へ向かうダウンリンクによるデータ送信及び端末装置２から基地局装置１へ向かうアップリンクによるデータ送信のいずれも行う。ただし、以下の説明では、ＵＲＬＬＣを用いたダウンリンクによるデータ送信について主に説明する。【００１７】
図１に示すように、本実施例に係る基地局装置１は、通信制御部１０１、受信部１０２、送信部１０３、信号処理部１０４、信頼度決定部１０５、ＣＳＩフィードバック設定通知部１０６及びアンテナ１０７を有する。【００１８】
受信部１０２は、無線信号を端末装置２からアンテナ１０７を介して受信する。そして、受信部１０２は、受信した信号を信号処理部１０４へ出力する。【００１９】
通信制御部１０１は、通信のスケジューリングなどの端末装置２との間の信号の送受信の全般的な制御を行う。通信制御部１０１は、接続処理部１１１、リソースセット決定部１１２、無線リソース割当部１１３及びＭＣＳ選択部１１４を有する。この通信制御部１０１が、「送信設定決定部」の一例にあたる。【００２０】
接続処理部１１１は、呼接続要求などの呼接続処理に用いる信号の入力を信号処理部１０４から受ける。そして、接続処理部１１１は、呼接続処理に用いる信号に応じて、呼接続応答を信号処理部１０４に送信させるなどして呼接続処理を実行し、端末装置２と基地局装置１との間の呼を確立する。続いて、端末装置２は、基地局装置１及びコアネットワークであるＥＰＣ（Evolved  Packet  Core）３を介して通信相手と接続する。その後、接続処理部１１１は、端末装置２の相手もしくは端末装置２から送信されたデータの送信要求を取得する。ここで、データの送信要求には、端末装置２に対して提供するサービスの種類の情報が含まれる。そして、接続処理部１１１は、端末装置２に対して提供するサービスの種類の情報をリソースセット決定部１１２及び信頼度決定部１０５へ出力する。【００２１】
リソースセット決定部１１２は、ＵＲＬＬＣを用いた通信において使用する複数の周波数帯に分割された不連続周波数帯を予め記憶する。リソースセット決定部１１２は、端末装置２に対して提供するサービスの種類の情報の入力を接続処理部１１１から受ける。そして、リソースセット決定部１１２は、提供するサービスにおいて送信するデータのサイズなどから記憶する不連続周波数帯の中から端末装置２への信号送信に用いる不連続な周波数帯の組をリソースセットとして決定する。【００２２】
図３は、リソースセットの選択を説明するための図である。図３の使用可能周波数帯３０１は、基地局装置１が通信に使用可能な周波数帯である。例えば、リソースセット決定部１１２は、図３に示す使用可能周波数３０１の中の斜線で示される不連続周波数帯３１１を予めＵＲＬＬＣを用いた通信において使用する周波数帯として記憶する。そして、リソースセット決定部１１２は、不連続周波数帯３１１の中から端末装置２への信号送信に用いる不連続な周波数帯の組として、図３のグレーの領域で示されるリソースセット３１２を選択する。ここで、図３では、リソースセット決定部１１２は、リソースセット３１２として、不連続周波数帯３１１に含まれる不連続な各周波数帯の全てにおいて先頭からの領域を確保したが、リソースセット３１２の確保の方法はこれに限らない。例えば、リソースセット決定部１１２は、不連続周波数帯３１１に含まれる不連続な各周波数帯からいくつか選択し、その選択された周波数帯からリソースセット３１２の領域を確保してもよい。また、リソースセット決定部１１２は、不連続周波数帯３１１に含まれる不連続な各周波数帯における先頭以外の領域をリソースセット３１２として確保してもよい。ただし、リソースセット３１２に含まれる複数の不連続な周波数帯は、互いに５ＭＨｚ以上離されることが好ましい。【００２３】
また、図３では１回の信号送信における不連続な周波数帯をリソースセットとしたが、周波数帯が不連続であれば、リソースセット決定部１１２は、他の方法でリソースセットを決定することもできる。例えば、図４は、リソースセットの選択の他の例を説明するための図である。図４に示すように、基地局装置１が通信に使用可能な周波数帯は時間方向にも存在し、使用可能周波数帯３０２のように表される。この場合、リソースセット決定部１１２は、使用可能周波数帯３０２の中の異なる時間における不連続な周波数帯３２１及び３２２をリソースセットとしてもよい。【００２４】
図１に戻って説明を続ける。リソースセット決定部１１２は、端末装置２への信号送信に用いるリソースセットを決定後、決定したリソースセットの情報を無線リソース割当部１１３へ出力する。【００２５】
無線リソース割当部１１３は、端末装置２への信号送信に用いるリソースセットの情報の入力をリソースセット決定部１１２から受ける。そして、無線リソース割当部１１３は、リソースセットの情報からＣＳＩ測定用参照信号に無線リソースの割り当てを行う。次に、無線リソース割当部１１３は、ＣＳＩ測定用参照信号に割り当てた無線リソースの情報を信号処理部１０４及びＣＳＩフィードバック設定通知部１０６へ出力する。さらに、無線リソース割当部１１３は、端末装置２のＣＳＩ送信タイミングを決定し、ＣＳＩフィードバック設定通知部１０６へ出力する。ＣＳＩ送信タイミングは、端末装置２がＣＳＩを基地局装置１へ送信するタイミングであり、例えば、周期的にＣＳＩを送信するように設定される。【００２６】
また、無線リソース割当部１１３は、端末装置２から送信されたＣＳＩを信号処理部１０４から取得する。ＣＳＩには、例えば、ＣＱＩ、ＲＩ、ＰＭＩ、ＢＩ及びＣＲＩなどが含まれる。また、受信信号電力Ｓと干渉電力（Ｉ＋Ｎ）のいずれか又は両方が含まれてもよい。そして、無線リソース割当部１１３は、取得したＣＳＩ及びリソースセットの情報を用いて端末装置２への信号送信に用いる無線リソースを決定する。そして、無線リソース割当部１１３は、端末装置２への信号送信に使用する無線リソースを信号処理部１０４に通知する。【００２７】
ＭＣＳ選択部１１４は、端末装置２から送信されたＣＳＩを信号処理部１０４から取得する。本実施例では、ＣＳＩには、上述した情報に加えて、相関値の情報及びチャネル情報の測定時刻の情報が含まれる。ここで、相関値とは、リソースセットとして決定された不連続の周波数帯域のそれぞれを使用して送信された信号の関係の強弱を表す値である。また、チャネル情報の測定時刻は、端末装置２が受信信号電力、干渉電力及び雑音電力を含むチャネル情報の計測を行った時刻である。【００２８】
ＭＣＳ選択部１１４は、ＣＳＩからＣＱＩを取得する。そして、ＭＣＳ選択部１１４は、ＣＱＩをＳＩＮＲ（Signal-to-Interface  plus  Noise  power  Raito）に変換する。ＳＩＮＲは、受信信号のうち所望信号の電力と所望信号以外の電力の比を表す値である。ただし、ＣＱＩの代わりに受信信号電力Ｓ又は干渉電力（Ｉ＋Ｎ）のいずれかもしくは双方がＣＳＩに含まれている場合は、ＭＣＳ選択部１１４がＳＩＮＲを計算する。例えば、ＣＳＩに含まれる干渉電力と、端末装置２からの上りリンクの送信から計算した受信信号電力からＳＩＮＲを算出してもよい。【００２９】
また、ＭＣＳ選択部１１４は、ＣＳＩから相関値を取得する。ここで、ＭＣＳ選択部１１４は、図５に示すグラフ４０１のような相関値とＳＩＮＲのオフセットとの関係を表す関数を予め記憶する。図５は、相関値とＳＩＮＲのオフセットとの関係を表す図である。そして、ＭＣＳ選択部１１４は、グラフ４０１を表す関数を用いて、取得した相関値に対応するＳＩＮＲのオフセットを取得する。【００３０】
また、ＭＣＳ選択部１１４は、遅延時間とＳＩＲＮのオフセットとの関係を表す関数を予め記憶する。そして、ＭＣＳ選択部１１４は、ＣＳＩからチャネル情報の測定時刻を取得する。次に、ＭＣＳ選択部１１４は、データの送信予定時刻を算出する。そして、ＭＣＳ選択部１１４は、データの送信予定時刻からチャネル情報の測定時刻を減算し、チャネル情報が計測されてからデータの送信が行われるまでの遅延時間を算出する。ここで、遅延時間とＳＩＲＮのオフセットとの関係を表す関数は、図５に示されるグラフ４０１と同様の遅延時間とＳＩＲＮのオフセットとの関係を表すグラフに対応する関数である。【００３１】
ここで、ＭＣＳ選択部１１４は、例えば、図６に示すＭＣＳ選択表４０２を有する。図６は、ＭＣＳ選択表の一例を表す図である。図６に示すように、本実施例では、ＭＣＳは５ビットの値で表される。そしてＭＣＳ選択表４０２には、各ＭＣＳに対応させて変調方式及び符号化率が登録される。本実施例に係るＭＣＳ選択表４０２では、ＭＣＳの番号が若い順に、エラー発生率が低くなり且つデータの送信量が低くなる。すなわち、ＭＣＳの番号が若い程、信頼性は向上するが、送信対象のデータを全て送信するまでに時間がかかり遅延が大きくなるといえる。ここで、チャネルの通信品質が良ければエラーの発生率は低くなるため、変調や符号化によるエラーの発生をより多く許容することができる。したがって、ＭＣＳ選択部１１４は、チャネルの通信品質が良い場合には、より番号の高いＭＣＳを選択して、遅延を短くすることが好ましい。【００３２】
ＭＣＳ選択部１１４は、ＣＱＩから求めたＳＩＮＲから相関値及び遅延時間によるオフセットを減算してＭＣＳを求めるためのＳＩＮＲの値を算出する。次に、ＭＣＳ選択部１１４は、算出したＳＩＮＲの値を５ビットの値に変換する。そして、ＭＣＳ選択部１１４は、ＳＩＮＲの値を変換した５ビットの値に対応するＭＣＳをＭＣＳ選択表４０２から特定する。その後、ＭＣＳ選択部１１４は、特定したＭＣＳに対応する変調方式及び符号化率を信号処理部１０４へ通知する。このＭＣＳ選択部１１４が通知する変調方式及び符号化率、並びに、無線リソース割当部１１３が通知する端末装置２への信号送信に使用する無線リソースが、「通信設定」の一例にあたる。【００３３】
図１に戻って説明を続ける。送信部１０３は、呼接続応答などの呼接続処理に用いる各種信号の入力を信号処理部１０４から受ける。そして、送信部１０３は、呼接続処理に用いる各種信号をアンテナ１０７を介して端末装置２へ送信する。また、送信部１０３は、データ送信の際にデータ送信信号の入力を信号処理部１０４から受ける。そして、送信部１０３は、取得したデータ送信信号をアンテナ１０７を介して端末装置２へ送信する。【００３４】
また、送信部１０３は、ＣＳＩフィードバック設定の入力をＣＳＩフィードバック設定通知部１０６から受ける。そして、送信部１０３は、取得したＣＳＩフィードバック設定をアンテナ１０７を介して端末装置２へ送信する。【００３５】
信号処理部１０４は、接続応答の送信指示などの呼接続処理に用いる各種信号の送信指示を接続処理部１１１から受ける。そして、信号処理部１０４は、送信指示にしたがい呼接続処理に用いる各種信号を送信部１０３へ出力する。【００３６】
また、信号処理部１０４は、端末装置２から送信されたＣＳＩの入力を受信部１０２から受ける。そして、信号処理部１０４は、取得したＣＳＩを無線リソース割当部１１３及びＭＣＳ選択部１１４へ出力する。【００３７】
また、信号処理部１０４は、送信信号をＥＰＣ３から受信する。また、信号処理部１１０４は、変調方式及び符号化率の入力をＭＣＳ選択部１１４から受ける。さらに、信号処理部１０４は、端末装置２への信号送信に使用する無線リソースの通知を無線リソース割当部１１３から受ける。【００３８】
そして、信号処理部１０４は、指定された変調方式及び符号化率を用いて、ＥＰＣ３から受信した送信信号に対し変調処理及び符号化処理を施す。さらに、信号処理部１０４は、送信信号に対して指定された無線リソースを割り当てる。その後、信号処理部１０４は、送信信号を送信部１０３へ出力する。この信号処理部１０４による変調処理及び符号化処理、並びに、無線リソースの割り当てが「送信設定を用いて信号に対して処理」を行うことの一例にあたる。【００３９】
信頼度決定部１０５は、サービス毎の要求される信頼度を予め記憶する。例えば、信頼度決定部１０５は、変電所の障害対応及び制御のサービスの場合、エラー率が１０−４以下の信頼度などと記憶する。【００４０】
信頼度決定部１０５は、端末装置２に対して提供するサービスの種類の情報の入力を接続処理部１１１から受ける。そして、信頼度決定部１０５は、端末装置２に対して提供するサービスの信頼度の情報をＣＳＩフィードバック設定通知部１０６へ出力する。【００４１】
ＣＳＩフィードバック設定通知部１０６は、ＣＳＩ測定用参照信号に割り当てられた無線リソースの情報の入力を無線リソース割当部１１３から受ける。さらに、ＣＳＩフィードバック設定通知部１０６は、端末装置２がＣＳＩ送信に用いる無線リソースの情報の入力を無線リソース割当部１１３から受ける。また、ＣＳＩフィードバック設定通知部１０６は、端末装置２に対する信号送信で求められる信頼度の情報を信頼度決定部１０５から受ける。【００４２】
そして、ＣＳＩフィードバック設定通知部１０６は、取得した情報を用いて、ＣＳＩ測定用参照信号情報、ＣＳＩ送信タイミング、ＣＳＩ計算条件を含むＣＳＩフィードバック設定を送信部１０３へ通知する。ここで、ＣＳＩ測定用参照信号情報には、ＣＳＩ測定用参照信号の送信タイミング、周波数及びパターンなどが含まれる。また、ＣＳＩ計算条件には、端末装置２に対する信号送信で求められる信頼度が含まれる。【００４３】
次に、図２を参照して、端末装置２について説明する。端末装置２は、図２に示すように、受信部２０１、信号処理部２０２、通信制御部２０３、送信部２０４、チャネル測定部２０５、チャネル情報算出部２０６及びアンテナ２０７を有する。【００４４】
受信部２０１は、アンテナ２０７を介して基地局装置１から送信された信号を受信する。そして、受信部２０１は、受信した信号を信号処理部２０２へ出力する。【００４５】
信号処理部２０２は、基地局装置１から送信された信号の入力を受信部２０１から受ける。そして、信号処理部２０２は、取得した信号に対して復号化処理及び復調処理などを施す。そして、信号処理部２０２は、処理を施した信号を通信制御部２０３へ出力する。【００４６】
また、信号処理部２０２は、送信するデータの入力を通信制御部２０３から受ける。そして、信号処理部２０２は、取得したデータに変調処理及び符号化処理などを施して送信信号を生成する。そして、信号処理部２０２は、生成した送信信号を送信部２０４へ出力する。【００４７】
また、信号処理部２０２は、基地局装置１から送信された信号に含まれるデータを通信制御部２０３へ出力する。【００４８】
通信制御部２０３は、基地局装置１から送信された信号の入力を信号処理部２０２から受ける。通信制御部２０３は、呼接続処理を実行する。呼接続完了後、通信制御部２０３は、サービス要求を信号処理部２０２に基地局装置１へ送信させる。【００４９】
その後、ＣＳＩフィードバック設定を受信すると、通信制御部２０３は、ＣＳＩフィードバック設定に含まれるＣＳＩ測定用参照信号情報をチャネル測定部２０５に通知する。また、ＣＳＩ計算条件をチャネル情報算出部２０６へ出力する。【００５０】
その後、通信制御部２０３は、リソースセットに含まれる不連続な周波数帯の信号の相関値をチャネル情報算出部２０６から取得する。さらに、リソースセットに含まれる不連続な周波数帯のそれぞれの信号の全体をまとめたＣＱＩ、ＲＩ、ＰＭＩ、ＢＩ及びＣＲＩをチャネル情報算出部２０６から取得する。また、通信制御部２０３は、リソースセットに含まれる不連続な周波数帯のそれぞれの信号のチャネル情報をチャネル情報の測定時刻とともにチャネル測定部２０５から取得する。その後、通信制御部２０３は、リソースセットに含まれる不連続な周波数帯のそれぞれの信号の全体をまとめたＣＱＩ、ＲＩ、ＰＭＩ、ＢＩ、ＣＲＩ、リソースセットに含まれる不連続な周波数帯の信号の相関値及びチャネル情報の測定時刻を含むＣＳＩを作成する。そして、通信制御部２０３は、作成したＣＳＩを信号処理部２０２に出力し、基地局装置１へ送信させる。その後、通信制御部２０３は、ＣＳＩの送信周期にしたがって、ＣＳＩを信号処理部２０２に出力し、基地局装置１へ送信させる。【００５１】
また、通信制御部２０３は、信号処理部２０２から取得したデータを音声、文字又は画像などにより操作者に提供する。【００５２】
チャネル測定部２０５は、ＣＳＩ測定用参照信号情報を通信制御部２０３から受ける。次に、チャネル測定部２０５は、ＣＳＩ測定用参照信号情報に含まれる、リソースセットに含まれる不連続な周波数帯における各参照信号の送信タイミング、周波数及びパターンを取得する。そして、チャネル測定部２０５は、取得した情報を用いて、受信部２０１が受信した信号から、リソースセットに含まれる不連続な周波数帯における各信号の受信信号電力、干渉電力及び雑音電力を取得する。このリソースセットに含まれる不連続な周波数帯における各信号の受信信号電力、干渉電力及び雑音電力が、「個別情報」の一例にあたる。【００５３】
さらに、チャネル測定部２０５は、受信信号電力、干渉電力及び雑音電力などのチャネル情報を測定した測定時刻を取得する。その後、チャネル測定部２０５は、取得したリソースセットに含まれる不連続な周波数帯における各信号の受信信号電力、干渉電力及び雑音電力をチャネル情報算出部２０６へ出力する。また、チャネル測定部２０５は、チャネル情報の測定時刻を通信制御部２０３へ出力する。測定時刻は、例えば基地局装置１での送信時間を規定するためのサブフレームやスロットの番号で表現される。【００５４】
チャネル情報算出部２０６は、リソースセットに含まれる不連続な周波数帯における各信号のＳＩＮＲを算出する。以下では、リソースセットに含まれる不連続な周波数帯における各信号のＳＩＮＲを「個別ＳＩＮＲ」という。【００５５】
次に、チャネル情報算出部２０６は、個別ＳＩＮＲを用いてリソースセットに含まれる不連続な周波数帯の全体のＳＩＮＲを算出する。以下では、リソースセットに含まれる不連続な周波数帯の全体のＳＩＮＲを「全体ＳＩＮＲ」という。例えば、チャネル情報算出部２０６は、個別ＳＩＮＲにシャノンの通信容量の定理あるいはExponential  effective  SINR  MappingやMutual  Information  based  Effective  SINR  Mappingなどを用いて全体ＳＩＮＲを算出することができる。また、チャネル情報算出部２０６は、個別ＳＩＮＲの平均値を全体ＳＩＮＲとしてもよい。このように、全体ＳＩＮＲは、リソースセットに含まれる不連続な周波数帯における各信号の全体をまとめた受信品質の状態が表されるものであれば、どのように求めてもよい。この全体ＳＩＮＲが、「全体情報」の一例にあたる。【００５６】
ここで、チャネル情報算出部２０６は、図７に示すような関係により表されるＳＩＮＲとＣＱＩとの変換関数を予め有する。図７は、ＳＩＮＲとＣＱＩとの変換関数を説明するための図である。図７のグラフ５０１は、エラー率が１０−１以下の信頼度を満たすためのＳＩＮＲとＣＱＩとの関係を表すグラフである。また、グラフ５０２は、エラー率が１０−５以下の信頼度を満たすためのＳＩＮＲとＣＱＩとの関係を表すグラフである。グラフ５０１及び５０２は、４ビットで表される０〜１５の値を有するＣＱＩにＳＩＮＲを変換するためのグラフである。図７に示すように、信頼度が高くなるほど、ＣＱＩはより大きな値のＳＩＮＲに対応する。すなわち、同じＣＱＩの値であっても、信頼度が高い方が受信品質の良い状態に対応する。【００５７】
チャネル情報算出部２０６は、例えば、信頼度が１０−１の場合の関数をグラフ５０１で表される関数とし、信頼度が１０−５の場合の関数をグラフ５０２で表される関数というように、信頼度に応じた変換関数を有する。【００５８】
チャネル情報算出部２０６は、ＣＳＩフィードバック設定に含まれる信頼度を取得する。次に、チャネル情報算出部２０６は、取得した信頼度に対応するＳＩＮＲとＣＱＩとの変換関数を選択する。そして、チャネル情報算出部２０６は、選択した変換関数を用いて、算出した全体ＳＩＮＲをＣＱＩに変換する。【００５９】
次に、チャネル情報算出部２０６は、リソースセットに含まれる不連続な周波数帯における各信号に対して相関関数を用いるなどしてそれぞれの相関値を算出する。ここで、チャネル情報算出部２０６は、相関値として標準偏差を求めてもよい。【００６０】
そして、チャネル情報算出部２０６は、算出したＣＱＩ及び相関値を通信制御部２０３へ送信する。ここで、本実施例では、端末装置２は、ＳＩＮＲを４ビットで表されるＣＱＩに変換して暗示的な情報として基地局装置１に通知した。ただし、大きなデータの基地局装置１への送信が許容可能であれば場合、端末装置２は、明示的な情報としてＳＩＮＲをそのまま基地局装置１に通知してもよい。また、端末装置２は、ＳＩＮＲの代わりに受信信号電力Ｓ又は干渉電力Ｉの何れかもしくは双方を明示的にあるいは暗示的に送信してもよい。【００６１】
次に、図８を参照して、本実施例に係る無線通信システムにおけるＵＲＬＬＣを用いた通信の制御の流れについて説明する。図８は、実施例に係る無線通信システムにおけるＵＲＬＬＣを用いた通信の制御のシーケンス図である。【００６２】
基地局装置１の接続処理部１１１及び端末装置２の通信制御部２０３は、相互に通信を行い呼接続処理を実行する（ステップＳ１）。【００６３】
呼確立後、端末装置２の通信制御部２０３は、サービスの種類の情報を含むサービス要求を基地局装置１へ送信する（ステップＳ２）。基地局装置１の接続処理部１１１は、サービス要求を受信する。そして、接続処理部１１１は、サービスの種類の情報をリソースセット決定部１１２及び信頼度決定部１０５へ出力する。【００６４】
リソースセット決定部１１２は、サービスの種類の情報を接続処理部１１１から取得する。そして、リソースセット決定部１１２は、サービスの種類から提供するサービスで用いられるデータのサイズなどを取得し、不連続な周波数帯を有するリソースセットを決定する（ステップＳ３）。そして、リソースセット決定部１１２は、取得した信頼度を無線リソース割当部１１３へ出力する。無線リソース割当部１１３は、リソースセットの情報からＣＳＩ測定用参照信号に無線リソースの割り当てを行う。次に、無線リソース割当部１１３は、ＣＳＩ測定用参照信号に割り当てた無線リソースの情報を信号処理部１０４及びＣＳＩフィードバック設定通知部１０６へ出力する。さらに、無線リソース割当部１１３は、端末装置２のＣＳＩ送信タイミングを決定し、ＣＳＩフィードバック設定通知部１０６へ出力する。【００６５】
また、信頼度決定部１０５は、サービスの種類の情報を接続処理部１１１から取得する。そして、信頼度決定部１０５は、予め決められたサービス毎に要求される信頼度から、端末装置２に提供するサービスで要求される信頼度を決定する（ステップＳ４）。そして、信頼度決定部１０５は、取得した信頼度をＣＳＩフィードバック設定通知部１０６へ出力する。【００６６】
ＣＳＩフィードバック設定通知部１０６は、ＣＳＩ測定用参照信号に割り当てられた無線リソースの情報及びＣＳＩ送信タイミングの情報を無線リソース割当部１１３から取得する。さらに、ＣＳＩフィードバック設定通知部１０６は、信頼度を信頼度決定部１０５から取得する。そして、ＣＳＩフィードバック設定通知部１０６は、取得した情報を用いて、ＣＳＩ測定用参照信号情報、ＣＳＩ送信タイミング、ＣＳＩ計算条件を含むＣＳＩフィードバック設定を端末装置２へ送信する（ステップＳ５）。端末装置２の通信制御部２０３は、ＣＳＩフィードバック設定を受信する。そして、通信制御部２０３は、ＣＳＩ測定用参照信号情報をチャネル測定部２０５へ通知する。また、通信制御部２０３は、信頼度をチャネル情報算出部２０６へ通知する。【００６７】
その後、信号処理部１０４は、無線リソース割当部１１３により割り当てられた無線リソースを用いて、リソースセットに含まれる不連続な各周波数帯でＣＳＩ測定用参照信号を送信する（ステップＳ６）。【００６８】
チャネル測定部２０５は、ＣＳＩ測定用参照信号情報を通信制御部２０３から取得する。そして、チャネル測定部２０５は、ＣＳＩ測定用参照信号情報を用いてチャネル情報を測定する。さらに、チャネル測定部２０５は、チャネル情報の測定時刻を取得する（ステップＳ７）。そして、チャネル測定部２０５は、チャネル情報に含まれる受信信号電力、干渉電力及び雑音電力をチャネル情報算出部２０６へ出力する。また、チャネル測定部２０５は、チャネル情報及びチャネル情報の測定時刻を通信制御部２０３へ出力する。【００６９】
チャネル情報算出部２０６は、受信信号電力、干渉電力及び雑音電力の入力をチャネル測定部２０５から受ける。そして、チャネル情報算出部２０６は、受信信号電力、干渉電力及び雑音電力を用いて、個別ＳＩＮＲを算出する（ステップＳ８）。【００７０】
さらに、チャネル情報算出部２０６は、算出した個別ＳＩＮＲを用いて全体ＳＩＮＲを算出する（ステップＳ９）。【００７１】
次に、チャネル情報算出部２０６は、信頼度に応じたＳＩＮＲとＣＱＩとの関係を表す関数を用いて、全体ＳＩＮＲに対応するＣＱＩを取得する（ステップＳ１０）。【００７２】
さらに、チャネル情報算出部２０６は、相関関数を用いて、リソースセットに含まれる不連続な各周波数帯における各信号間の相関値を算出する（ステップＳ１１）。そして、チャネル情報算出部２０６は、取得したＣＱＩ及び相関値の情報を通信制御部２０３へ出力する。【００７３】
通信制御部２０３は、ＣＱＩ及び相関値の情報をチャネル情報算出部２０６から取得する。そして、通信制御部２０３は、ＣＱＩ、相関値及びチャネル情報の測定時刻を含むＣＳＩを生成し、基地局装置１へ送信する（ステップＳ１２）。【００７４】
基地局装置１のＭＣＳ選択部１１４は、ＣＱＩ、相関値及びチャネル情報の送信時刻を取得する。そして、ＣＱＩをＳＩＮＲに変換する（ステップＳ１３）。【００７５】
次に、ＭＣＳ選択部１１４は、相関値からＳＩＮＲのマージン用のオフセットを算出する（ステップＳ１４）。【００７６】
さらに、ＭＣＳ選択部１１４は、チャネル情報の送信時刻からデータを端末装置２へ送信するまでの遅延時間を算出する。そして、ＭＣＳ選択部１１４は、算出した遅延時間からＳＩＮＲのマージン用のオフセットを算出する（ステップＳ１５）。【００７７】
そして、ＭＣＳ選択部１１４は、ＳＩＮＲから算出したオフセットを減算した値に対応するＭＣＳをＭＣＳ選択表４０２から選択する（ステップＳ１６）。その後、ＭＣＳ選択部１１４は、選択したＭＣＳに対応する変調方式及び符号化率を信号処理部１０４へ通知する。信号処理部１０４は、ＭＣＳ選択部１１４から通知された変調方式及び符号化率を用いて、端末装置２へデータを送信する送信信号に対して変調処理及び符号化処理を施す。【００７８】
また、無線リソース割当部１１３は、リソースセットを用いて端末装置２へ送信するデータに割り当てるリソースブロックを決定する。信号処理部１０４は、無線リソース割当部１１３に指定されたリソースブロックを送信信号に割り当てる（ステップＳ１７）。その後、信号処理部１０４は、送信信号を送信部１０３へ出力する。【００７９】
そして、送信部１０３は、信号処理部１０４から取得した送信信号を用いてデータを端末装置２へ送信する（ステップＳ１８）。【００８０】
信号処理部１０４及び送信部１０３は、次のＣＳＩが端末装置２から送られてくるまで取得済みのＣＳＩを用いて遅延時間に応じてＭＣＳ選択及びリソースブロック割り当てを繰り返しながら、データの送信を行う（ステップＳ１９）。【００８１】
その後、ＣＳＩの送信タイミングが到来すると、端末装置２のチャネル測定部２０５、チャネル情報算出部２０６及び通信制御部２０３は、ステップＳ７〜Ｓ１１と同様の処理を行いＣＳＩを取得する。そして、通信制御部２０３は、取得したＣＳＩを基地局装置１へ送信する（ステップＳ２０）。【００８２】
以降は、周期的に端末装置２がＣＳＩを基地局装置１へ送信する。そして、基地局装置１は、受信したＣＳＩを用いてステップＳ１３〜Ｓ１７までの処理を行った上で、端末装置２へデータを送信することを繰り返す。【００８３】
ここで、以上の説明では、基地局装置１は、相関関数及びチャネル情報の計測時刻からデータ送信までの遅延時間を用いてＳＩＮＲのマージンを求めて、ＭＣＳの選択を行った。ただし、ある程度のＳＩＮＲの誤差を許容できる場合であれば、基地局装置１は、相関関数及び遅延時間を用いずに、通知されたＣＱＩから求めたＳＩＮＲに対応するＭＣＳを選択してもよい。また、基地局装置１は。相関関数又は遅延時間の一方から求めたＳＩＮＲのオフセットを使用してＭＣＳの選択を行ってもよい。【００８４】
さらに、図９及び１０を参照して、リソースセットを用いたデータ送信の方式について説明する。図９は、リソースセットを用いたデータ送信の一例を表す図である。また、図１０は、リソースセットを用いたデータ送信の他の例を表す図である。ここでは、リソースセットとして、異なる不連続な周波数帯のリソースブロック＃１及び＃２が設定されている場合で説明する。【００８５】
図９は、送信点６０１が１つであり、その１つの送信点６０１から端末装置２がデータを受信する構成である。送信点６０１は、基地局装置１でもよいし、また、基地局装置１が有するＲＲＨ（Remote  Radio  Head）でもよい。この場合、送信点６０１は、リソースブロック＃１及び＃２を用いてデータを端末装置２へ送信する。【００８６】
一方、図１０では、送信点６０２及び６０３という２つの送信点が存在する。そして、送信点６０２及び６０３の双方から端末装置２がデータを受信する構成である。送信点６０２及び６０３は、例えば、それぞれが１つの基地局装置１が有する異なるＲＲＨである。また、２つの基地局装置１が協調通信を行っている場合、送信点６０２及び６０３は、それぞれが異なる基地局装置１であってもよい。この場合、例えば、送信点６０２は、リソースブロック＃１を用いてデータを端末装置２へ送信する。また、送信点６０３は、リソースブロック＃２を用いてデータを端末装置２へ送信する。【００８７】
次に、図１１及び１２を参照して、不連続な周波数帯を用いてデータを送信した場合の効果について説明する。図１１は、連続した周波数帯を用いてデータを送信した場合の信頼度を説明するための図である。また、図１２は、不連続な周波数帯を用いてデータを送信した場合の信頼度を説明するための図である。【００８８】
図１１では、使用可能周波数帯３３０の内、連続する複数の周波数帯３３１を使用してデータを送信した場合である。周波数帯３３１は全部で１０ＭＨｚである。図１１における左の図は、周波数帯３３１を用いてデータを送信した場合の累積分布関数（ＣＤＦ：Cumulative  Distribution  Function）を表す。左の図は、横軸で受信信号電力変動量を表し、縦軸で各受信信号電力変動量に対応する累積分布関数に用いた計算結果値を表す。グラフ７０１〜７０５は、チャネル情報の計測時刻からデータ送信までの遅延時間に応じた累積分布関数を表す。グラフ７０１は、遅延時間が１ｍｓの場合の累積分布関数である。グラフ７０２は、遅延時間が２ｍｓの場合の累積分布関数である。グラフ７０３は、遅延時間が４ｍｓの場合の累積分布関数である。グラフ７０４は、遅延時間が８ｍｓの場合の累積分布関数である。グラフ７０５は、遅延時間が１６ｍｓの場合の累積分布関数である。【００８９】
また、図１２では、使用可能周波数帯３４０の内、不連続な複数の周波数帯３４１を使用してデータを送信した場合である。周波数帯３４１は全部で１０ＭＨｚである。図１２における左の図は、周波数帯３４１を用いてデータを送信した場合の累積分布関数を表す。左の図は、横軸で受信信号電力変動量を表し、縦軸で各受信信号電力変動量に対応する累積分布関数に用いた計算結果値を表す。グラフ７１１は、遅延時間が１ｍｓの場合の累積分布関数である。グラフ７１２は、遅延時間が２ｍｓの場合の累積分布関数である。グラフ７１３は、遅延時間が４ｍｓの場合の累積分布関数である。グラフ７１４は、遅延時間が８ｍｓの場合の累積分布関数である。グラフ７１５は、遅延時間が１６ｍｓの場合の累積分布関数である。【００９０】
グラフ７１１〜７１５とグラフ７０１〜７０５とを比べると、グラフ７１１〜７１５の方が、より電力変動量が小さい状態でグラフ７０１〜７０５と同じ発生確率となっている。すなわち、不連続な複数の周波数帯３４１を用いてデータを送信した場合の方が、連続した周波数帯３３１を用いてデータを送信した場合に比べて電力変動量を抑えられたことが分かる。このように、不連続な複数の周波数帯３４１を用いてデータを送信することで、遅延に応じた電力変動量を低減することができ、ＣＳＩを用いた無線リソースの割り当てによる通信の信頼性を向上させることができる。【００９１】
以上に説明したように、本実施例に係る無線通信システムは、リソースセットに含まれる不連続な周波数帯における信号の全てをまとめたチャネル情報を用いて、ＭＣＳ及びリソースセットにおける送信信号に割り当てる無線リソースを決定する。これにより、エラーをなるべく抑えより多くのデータを送信するＭＣＳを選択することができる。また、不連続な周波数帯を用いてデータを送信することができる。したがって、本実施例に係る無線通信システムは、効率よく高信頼低遅延通信を実現することができる。【００９２】
さらに、本実施例に係る基地局装置は、リソースセットに含まれる不連続な周波数帯における信号の相関関係及びチャネル情報の計測時刻からデータ送信までの遅延時間を考慮して、ＭＣＳにマージンを設ける。これにより、本実施例に係る基地局装置は、より適切なＭＣＳを選択することができ、通信の高信頼低遅延化により寄与することができる。【００９３】
（ハードウェア構成）
次に、図１３を参照して、基地局装置１のハードウェア構成について説明する。図１３は、基地局装置のハードウェア構成図である。【００９４】
図１３に示すように、基地局装置１は、アンテナ１０７、プロセッサ９１、メモリ９２、ＲＦ（Radio  Frequency）回路９３及びネットワークインタフェース９４を有する。プロセッサ９１は、メモリ９２、ＲＦ回路９３及びネットワークインタフェース９４とバスで接続される。【００９５】
ネットワークインタフェース９４は、ＥＰＣ３や他の基地局装置１と接続するためのインタフェースである。また、ＲＦ回路９３は、アンテナ１０７に接続される。ＲＦ回路９３は、図１に例示した受信部１０２及び送信部１０３の機能を実現する。【００９６】
メモリ９２は、図１に例示した通信制御部１０１、信号処理部１０４、信頼度決定部１０５及びＣＳＩフィードバック設定通知部１０６の機能を実現するためのプログラムを含む各種プログラムを記憶する。【００９７】
プロセッサ９１は、メモリ９２に格納された各種プログラムを読み出し、メモリ９２上に展開して実行することで、図１に例示した通信制御部１０１、信号処理部１０４、信頼度決定部１０５及びＣＳＩフィードバック設定通知部１０６の機能を実現する。【００９８】
次に、図１４を参照して、端末装置２のハードウェア構成について説明する。図１４は、端末装置のハードウェア構成図である。【００９９】
図１４に示すように、端末装置２は、アンテナ２０７、プロセッサ９５、メモリ９６及びＲＦ回路９７を有する。プロセッサ９５は、メモリ９６及びＲＦ回路９７とバスで接続される。ＲＦ回路９７は、アンテナ２０７に接続される。そして、ＲＦ回路９７は、図２に例示した受信部２０１及び送信部２０４の機能を実現する。【０１００】
メモリ９６は、図２に例示した信号処理部２０２、通信制御部２０３、チャネル測定部２０５及びチャネル情報算出部２０６の機能を実現するためのプログラムを含む各種プログラムを記憶する。【０１０１】
プロセッサ９５は、メモリ９６に格納された各種プログラムを読み出し、メモリ９６上に展開して実行することで、図２に例示した信号処理部２０２、通信制御部２０３、チャネル測定部２０５及びチャネル情報算出部２０６の機能を実現する。
【符号の説明】
【０１０２】
１  基地局装置
２  端末装置
３  ＥＰＣ
１０１  通信制御部
１０２  受信部
１０３  送信部
１０４  信号処理部
１０５  信頼度決定部
１０６  ＣＳＩフィードバック設定通知部
１０７  アンテナ
１１１  接続処理部
１１２  リソースセット決定部
１１３  無線リソース割当部
１１４  ＭＣＳ選択部
２０１  受信部
２０２  信号処理部
２０３  通信制御部
２０４  送信部
２０５  チャネル測定部
２０６  チャネル情報算出部
２０７  アンテナ
【図１】
0006780703.tif 000002
【図２】
0006780703.tif 000003
【図３】
0006780703.tif 000004
【図４】
0006780703.tif 000005
【図５】
0006780703.tif 000006
【図６】
0006780703.tif 000007
【図７】
0006780703.tif 000008
【図８】
0006780703.tif 000009
【図９】
0006780703.tif 000010
【図１０】
0006780703.tif 000011
【図１１】
0006780703.tif 000012
【図１２】
0006780703.tif 000013
【図１３】
0006780703.tif 000014
【図１４】
0006780703.tif 000015